(57)【要約】【課題】錯体となった重金属イオンは、キレート樹脂・イオン交換樹脂等でも除去できず、錯体となった重金属イオンを含有する被浄化液体をリサイクル使用する上での妨げとなっており、その簡単な解決策が求められていた。【解決手段】【請求項１】第一のＰＨ調整手段４で、錯体となった重金属イオンを含有する被浄化液体のＰＨ値を４以下の酸性にして後、錯体解離手段１３で、硫酸鉄を添加して錯体を解離し、その後、第二のＰＨ調整手段７でＰＨ値を中性以上にして、凝集濾過装置９，１０の、少なくとも塩基性硫酸マグネシュウムと水酸化マグネシュウムとの結晶状繊維を集合して構成された吸着剤１１の相互間隙に通過させ、錯体が解離された重金属イオンを吸着剤１１のＯＨ基と結合させてフロック化し、このフロックを凝集させて、目の粗いフィルタ１２で除去する液体浄化装置を提供することを目的とする。【選択図】　　　図１
2004122092.tif 000002
【特許請求の範囲】
【請求項１】
錯体となった重金属イオンを含有する被浄化液体のＰＨ値を４以下の酸性にする第一のＰＨ調整手段と、
酸性となった被浄化液体中に硫酸鉄を添加して、錯体を解離する錯体解離手段と、
硫酸鉄が添加された被浄化液体のＰＨ値を中性以上の値とする第二のＰＨ調整手段と、
及び、ＰＨ値が中性以上となった被浄化液体を、少なくとも塩基性硫酸マグネシュウムと水酸化マグネシュウムとの結晶状繊維を集合して構成された吸着剤の相互間隙に通過させ、錯体が解離された重金属イオンを吸着剤のＯＨ基と結合させてフロック化し、このフロックを凝集させて、目の粗いフィルタで除去する凝集濾過手段とを備えたことを特徴とする液体浄化装置。
【発明の詳細な説明】
【０００１】
この発明は、例えば、キレート剤等により錯体となった重金属イオンを含有する、例えば、メッキ洗浄排水等の被浄化液体を浄化する液体浄化装置に関するものである。
【０００２】
図７は、従来のメッキ洗浄排水の浄化システムを示すブロック線図で、図において、流入口１からのシアンを含有するメッキ排水は、シアン処理装置２で処理され、流入口３からの例えばＮｉを含有する第一中和排水と共に第一のＰＨ調整装置４で、例えば、ＰＨ値が９にされた後、凝集沈殿装置５に送り込まれる。
凝集沈殿装置５では凝集剤が投入され、Ｎｉ等の重金属イオンを凝集剤と共に凝集沈殿して除去した後、流入口６からの第二中和排水と共に、第二のＰＨ調整装置７に送り込まれ、ＰＨ値を中性にした後、排出口８から下水放流していた。
【０００３】
従来は上記の如く処理されいたが、含有された重金属イオンを、例えば地下水並に除去出来ないため、リサイクル使用されず下水放流されていた。
【０００４】
このため、図８に示すように、図７に示す排出口８からの下水放流水をリサイクル使用すべく、凝集濾過装置９，１０で下水放流水を浄化した。
【０００５】
図９は、凝集濾過装置９，１０の一例を示す側断面図で、図において、少なくとも塩基性硫酸マグネシュウムと水酸化マグネシュウムとの結晶状繊維を集合して構成されたスーパーカット１００％からなる吸着剤１１と、この吸着剤１１の相互間隙に被浄化液体を通過させて、被浄化液体中に混入している重金属イオンと吸着剤１１中のＯＨ基とを結合させ、重金属イオンのフロックを形成し、このフロックを凝集して、例えば、公称１μｍ、絶対値２０μｍのカートリッジフィルタ１２で捕捉しょうとした。
【０００６】
しかしながら、この発明に至る図８のシステムでは、例えば、流入口３からの排水中に含まれているＮｉイオンは、流入口１からの排水中に含まれているキレート剤によって錯体となり、凝集濾過装置９，１０の浄化では０．２ｐｐｍ以下とはならず、そのままではリサイクル使用し得ない。
【０００７】
【発明が解決しょうとする課題】
上記の如く、錯体となった重金属イオンは、凝集濾過装置９，１０では除去できず、また、キレート樹脂・イオン交換樹脂でも除去できない。
このため、錯体となった重金属イオンを含有する被浄化液体をリサイクル使用するためには、凝集濾過装置９，１０で除去できるように錯体を解離する必要がある。
【０００８】
この発明は上記の如き従来の要求を満たすためになされたもので、
【請求項１】の発明は、第一のＰＨ調整手段で、錯体となった重金属イオンを含有する被浄化液体のＰＨ値を４以下の酸性にして後、錯体解離手段で、硫酸鉄を添加して錯体を解離し、その後、第二のＰＨ調整手段でＰＨ値を中性以上にして、凝集濾過装置の、少なくとも塩基性硫酸マグネシュウムと水酸化マグネシュウムとの結晶状繊維を集合して構成された吸着剤の相互間隙に通過させ、錯体が解離された重金属イオンを吸着剤のＯＨ基と結合させてフロック化し、このフロックを凝集させて、目の粗いフィルタで除去する液体浄化装置を提供することを目的とする。
【０００９】
【発明を解決しょうとする手段】
【請求項１】の発明は、錯体となった重金属イオンを含有する被浄化液体のＰＨ値を４以下の酸性にする第一のＰＨ調整手段と、酸性となった被浄化液体中に硫酸鉄を添加して、錯体を解離する錯体解離手段と、硫酸鉄が添加された被浄化液体のＰＨ値を中性以上の値とする第二のＰＨ調整手段と、ＰＨ値が中性以上の値となった被浄化液体を、少なくとも塩基性硫酸マグネシュウムと水酸化マグネシュウムとの結晶状繊維を集合して構成された吸着剤の相互間隙に通過させ、錯体が解離された重金属イオンを吸着剤のＯＨ基と結合させてフロック化し、このフロックを凝集させて、目の粗いフィルタで除去する凝集濾過手段とで実現した。
【００１０】
【実施例】
以下この発明の一実施例を図について説明する。図１は、この発明の一実施例を示すブロック線図である。図において、流入口１からのシアンを含有するメッキ排水は、シアン処理装置２で処理され図２の写真の如く薄い茶褐色となり、流入口３からの例えばＮｉを含有する第一中和排水と、流入口６からの第二中和排水と共に第一のＰＨ調整装置４に送り込まれ、例えばＰＨ値が２に調整され、図３の写真の如く無色透明になる。
図３の写真３に示すＰＨ２に調整された被浄化液体は、錯体解離装置１３において、例えば、Ｎｉの錯体、０．２ｐｐｍと同程度の、例えば、硫酸第二鉄が投入攪拌され、Ｎｉの錯体を解離し、図４の写真に示す如く無色透明状態を維持する。
【００１１】
錯体が解離された重金属イオンを含有する図４の写真に示す被浄化液体は、第二のＰＨ調整装置７で、例えばＰＨ９にされ、図５の写真に示す如く濃茶褐色となり、凝集濾過装置９，１０に送り込まれ、凝集濾過装置９，１０が内蔵する、図９に示す吸着剤１１のＯＨ基と重金属イオンとを結合させ、重金属イオンをフロック化し、このフロック化した重金属イオンを凝集して、図９に示すカートリッジフィルタ１２で除去し、図６に示す写真の如く無色透明状態とする。
【００１２】
なお、凝集濾過装置９，１０は塩素が除去出来ないため、被浄化液体をリサイクル使用し続けると、塩素濃度が徐々に高くなる。
このため、凝集濾過装置１０の出口からの浄化液体の一部、例えば、１／１０を調整弁１５を介してイオン交換樹脂１６に通して浄化液体中の塩素を除去し、この塩素が除去されたイオン交換樹脂１６からの１／１０の浄化液体と、調整弁１７を介した凝集濾過装置１０からの９／１０の浄化液体とを混合し、この混合された浄化液体の、例えば、電気伝導度を導電率計１８で測定し、浄化液体の電気伝導度が常に一定値以下となるように、即ち、常に地下水レベルになるように、導電率計１８からの電気信号で調整弁１５を調整し、流出口１９からの浄化水をリサイクル使用する。
【００１３】
なお、第一のＰＨ調整装置４では、被浄化液体のＰＨ値を２に調整する例を説明したが、ＰＨ値は４以下の酸性であれば問題はない。
また、錯体解離装置１３で、硫酸第二鉄を投入攪拌する例を説明したが、例えば、硫酸第一鉄等、重金属イオンの錯体を解離するものであれば何でも良い。
またその投入量は、重金属イオンの錯体の濃度と同量を投入する例を説明したが、濃度の０．５〜２倍程度の濃度が適量である。
なお、複数の重金属イオンの錯体がある場合には、それらの合計の濃度に対して、０．５〜２倍程度の濃度が適量である。
【００１４】
さらに、第二のＰＨ調整装置７では、ＰＨ値を９にする例を説明したが、これは凝集濾過装置９，１０の吸着剤１１の溶解を防止のが目的であり、中性以上であれば問題はない。
さらにまた、凝集濾過装置９，１０の何れか一方を省略しても問題はない。
さらにまた、導電率計１８により流出口１９からの浄化水を、常に、例えば地下水並に保つ例を説明したが、重金属イオン濃度計等であっても問題はない。
さらにまた、凝集濾過装置９，１０で浄化された浄化水は、ＰＨ値が９．３程度になるため、中性にする必要がある場合には、ＰＨ調整装置を凝集濾過装置９，１０の後に設ければよい。
【発明の効果】
以上のように、
【請求項１】の発明によれば、錯体となった重金属イオンを含有する被浄化液体のＰＨ値を４以下の酸性にする第一のＰＨ調整手段と、酸性となった被浄化液体中に硫酸鉄を添加して、錯体を解離する錯体解離手段と、硫酸鉄が添加された被浄化液体のＰＨ値を中性以上の値とする第二のＰＨ調整手段と、ＰＨ値が中性以上の値となった被浄化液体を、少なくとも塩基性硫酸マグネシュウムと水酸化マグネシュウムとの結晶状繊維を集合して構成された吸着剤の相互間隙に通過させ、錯体が解離された重金属イオンを吸着剤のＯＨ基と結合させてフロック化し、このフロックを凝集させて、目の粗いフィルタで除去しているため、錯体となった重金属イオンの除去も可能となる。
【図面の簡単な説明】
【図１】この発明に係る液体浄化装置の一実施例を示すブロック線図である。
【図２】図１に示すシアン処理装置からの被浄化液体の写真である。
【図３】図１に示す第一のＰＨ調整装置でＰＨ調整された被浄化液体の写真である。
【図４】図１に示す錯体解離装置で錯体が解離された被浄化液体の写真である。
【図５】図１に示す第二のＰＨ調整装置でＰＨ調整された被浄化液体の写真である。
【図６】図１に示す凝集濾過装置で浄化された被浄化液体の写真である。
【図７】従来の液体浄化装置を示すブロック線図である。
【図８】本件発明に至る液体浄化装置を示すブロック線図である。
【図９】図１並びに図８に示す凝集濾過装置の一例を示す側断面図である。
【符号の説明】
４：第一のＰＨ調整装置
７：第二のＰＨ調整装置
９，１０：凝集濾過装置
１１：吸着剤
１２：カートリッジフィルタ
１３：錯体解離装置
【図１】
2004122092.tif 000003
【図２】
2004122092.tif 000004
【図３】
2004122092.tif 000005
【図４】
2004122092.tif 000006
【図５】
2004122092.tif 000007
【図６】
2004122092.tif 000008
【図７】
2004122092.tif 000009
【図８】
2004122092.tif 000010
【図９】
2004122092.tif 000011